(57)【特許請求の範囲】
【請求項１】
シート又はシート束を折り紙で束ねて１セットとしたシートセットからなる被給送物を給送する方向に回転しその周面にて前記被給送物を給送する給紙ローラと、この給紙ローラの下方に配置され前記給紙ローラの周面との間で前記被給送物を捌く捌き部材と、この捌き部材の前記被給送物の給送方向下流側で前記給紙ローラと共に前記被給送物を挟みつつ前記被給送物を給送する方向に回転する給送ローラと、前記捌き部材と前記給送ローラとに係合し前記捌き部材が上昇下降するのに伴って前記給送ローラを上昇下降させる係合部材とを有することを特徴とする給紙装置。
【請求項２】
前記給送ローラの周速度は前記給紙ローラの周速度と同一であることを特徴とする請求項１に記載の給紙装置。
【請求項３】
前記捌き部材の捌き面と前記給紙ローラとの間の隙間は前記給送ローラと前記給紙ローラとの間の隙間に比して大きいことを特徴とする請求項１又は２に記載の給紙装置。
【請求項４】
前記給送ローラを前記給紙ローラの方向に付勢する弾性体を有することを特徴とする請求項１乃至３のいずれか１項に記載の給紙装置。
【請求項５】
前記係合部材は、前記捌き部材を支持しカム部が形成された第１支持部材と、前記給送ローラを支持し突起が形成された第２支持部材と、前記第１支持部材に設けられ前記第２支持部材を支持する軸とを有し、前記突起が前記カム部に当接していることを特徴とする請求項１乃至４のいずれか１項に記載の給紙装置。
【発明の詳細な説明】
【０００１】
【発明の属する技術分野】
本発明は、積層されたシートからシートを１枚ずつ分離したり、積層されたシートセットの束からシートセットを１セットずつに分離して給送する給紙装置に関し、特に、新聞販売店において一度丁合された新聞広告束を再度給紙して折り込む折込広告丁合機として好適の給紙装置に関する。
【０００２】
【従来の技術】
新聞広告用ちらしの丁合は、複数の種類のちらしを丁合機により丁合したものを１組とし、これらを１組ずつ新聞に組み込むことで実施されている。
【０００３】
図６は、新聞広告用丁合機を示す斜視図である。図６に示すように、下板６４の上部には２枚の側板６５が地面に対して垂直となるように配置されており、側板６５の上部には上板６７が配置されている。この側板６５の間の下側には、紙受けトレイ６３が設けられており、紙受けトレイ６３は、丁合装置により１組に丁合されて排出されたちらしを受け取る。紙受けトレイ６３の上方には、折り紙用給紙装置６１が設けられており、更に折り紙用給紙装置の上方には複数の給紙装置６０（６０ａ乃至６０ｉ）が設けられていると共に、この給紙装置６０に向い合うように給紙装置６０と同数の給紙装置６８が設けられている。用紙を積載するために、折り紙用給紙装置６１には、サブフレーム６９を介して、給紙トレイ６２が設置されている。同様に、給紙装置６０（６０ａ乃至６０ｉ）及び６８には、夫々、給紙トレイ１（１ａ乃至１ｉ）及び給紙トレイ５ａが設置されている。折り紙用給紙装置６１、給紙装置６０及び給紙装置６８には適宜の駆動装置が設けられているため、各トレイ上のシート（ちらし）を、矢印６６にて示すように、装置内に送り込むようになっている。
【０００４】
このように構成された丁合機において、折り紙用の給紙装置６１の給紙トレイ６２に折り紙用のちらし束を載置する。また、給紙装置６０の各給紙トレイ１にちらし束を載置すると共に、給紙装置６８の給紙トレイ５ａにちらし束を載置する。次に、各給紙トレイ１上のちらし束からシートを１枚ずつ取り出す。取り出された各シートは、その先端を揃えつつ、矢印６６の方向に給送される。各給紙トレイ１からシートが取り出されてからある一定の時間が経過した後に、折り紙用の給紙装置６１の給紙トレイ６２上のちらし束から、折り紙用シートを１枚ずつ取り出し、矢印６６の方向に給送する。折り紙用シートに各シートを挟み込み、更に丁合機内で折りたたまれて、１組のシートセットが出来上がる。このように、丁合機内の各給紙装置が給紙トレイ上のちらし束からシートを１枚ずつ分離し、これらのシートを丁合することで、１組のシートセットが出来上がる。
【０００５】
図７はシートセットを示す模式図である。図７に示すように、折り紙８１にはシートセットの給送方向６６に垂直な方向に折り辺８７が形成されており、折り辺８７を境界として、最上部の折り片８５及び最下部の折り片８４が形成されている。種々の大きさのシート８２の各先端８６が折り辺８７に当接するように、折り紙８１内に挿入され、シートセットが形成されている。
【０００６】
次に、上述の新聞広告用丁合機に使用されている給紙装置について説明する。図９は従来のフリクションフィード方式の給紙装置を示す正面図である（実開平４−８８４３９号公報）。図９に示すように、給紙トレイ１は、その先端部が下方に位置するように傾斜して配置され、支軸７ａを軸として限定された範囲を揺動することができるようになっている。この給紙トレイ１の先端部近傍には、捌き装置３１が配置されている。この捌き装置３１はその上部に給紙板４０が給紙トレイ１の延長上に位置するように配設されている。また、捌き装置３１の上部には、シート送給方向（矢印方向）における給紙板４０の下流側に、捌き板４９が配置されている。この捌き装置３１の内部には後述する捌き板ユニット４５が設置されている。シート送給方向における捌き板４９の下流側には、水平方向に延出するガイド板４２が配設されており、このガイド板４２の一端は給紙板４０に接続され、ガイド板４２の他端は下方に向けて湾曲成形されている。
【０００７】
捌き板４９の上方には、給紙ローラ２がその周面を捌き板４９に接触するように配設されている。給紙ローラ２は給紙ローラ軸２ａに支持されており、給紙ローラ２と給紙ローラ軸２ａとの間には１方向クラッチ（図示せず）が介装されている。給紙ローラ２は、このクラッチ及び給紙ローラ軸２ａを介して駆動装置（図示せず）により回転駆動されるようになっている。給紙ローラ軸２ａは装置側板（図示せず）に支持されており、給紙ローラ軸２ａは揺動ブラケット３３を支持している。揺動ブラケット３３のシート送給方向の上流側には、従動ローラ軸４１ａが配置されており、従動ローラ４１は従動ローラ軸４１ａに支持されている。給紙ローラ軸２ａと従動ローラ軸４１ａとは、タイミングベルト（図示せず）で架け渡されており、従動ローラ４１は給紙ローラ２の回転に伴って従動回転するようになっている。また、従動ローラ４１は、シート（ちらし）束を所定の給紙圧で押圧するようになっている。
【０００８】
シート給送方向における給紙ローラ２の下流側には、１対の搬送ローラ９ａ及び９ｂが上下方向に対向して設けられており、前述のガイド板４２が搬送ローラ９ａ及び９ｂの位置まで延出している。搬送ローラ９ａ及び９ｂの下流側には、センサ１１が配設されており、破線で示す位置におけるシートの有無を検出できるようになっている。
【０００９】
図１０は捌き板ユニット４５を示す斜視図である。図１０に示すように、捌き板ユニット４５は、架台４６、第１の揺動板４７及び第２の揺動板４８等により構成されている。架台４６は底板と２枚の側板４６ｂとからなるコの字型の部材であり、底板が捌き装置３１に固定されている。架台４６の側板４６ｂは軸４６ａを支持しており、この軸４６ａにより第１の揺動板４７が揺動可能に支持されている。第１の揺動板４７もコの字型の部材であり、第１の揺動板４７は相互に平行して配置された２枚の側板４７ｄとこの側板に挟まれた板４７ｃとにより構成されている。板４７ｃには、係合用の突起４７ｂが設けられており、この突起４７ｂにスライド板５２が係合する。このスライド板５２は、図１０において矢印Ａで示す方向に往復移動可能であり、スライド板５２にはこの移動方向に対して傾斜した長穴５２ａが設けられている。この長穴５２ａに第１の揺動板４７の突起４７ｂが係合している。なお、このスライド板５２の往復移動は、リンク機構（図示せず）を介して実施されるようになっている。
【００１０】
また、側板４７ｄは軸４７ａを支持しており、この軸４７ａにより第２の揺動板４８が揺動可能に支持されている。第２の揺動板４８には、その上面に捌き板４９及び押さえ板５０が配置されている。また、この第２の揺動板４８の下方のうち、捌き板４９の下方には、半球状の支持体５１が設けられており、支持体５１の下方には、傾斜板５３が配設されている。この傾斜板５３は図１０において矢印Ｂで示す方向に往復移動可能であり、この移動方向に対して傾斜した傾斜面を有している。従って、捌き板４９は、傾斜板５３の移動に伴って上下に揺動移動する。この傾斜板５３の往復移動は、リンク機構（図示せず）を介して実施されるようになっている。
【００１１】
上述のスライド板５２及び傾斜板５３が往復移動することにより、捌き板４９の角度及び捌き板４９の給紙ローラ２に対する押圧力（捌き圧）を個別的に調整することができる。
【００１２】
次に、このように構成された従来の給紙装置の動作について説明する。先ず、従動ローラ４１を給紙トレイ１の上方に退避させ、給紙トレイ１上にシート束を載置する。そうすると、シート束は給紙トレイ１上を摺り落ちて、その先端が捌き板４９に当接する。その後、揺動ブラケット３３を揺動させて、従動ローラ４１をシートに接触させる。
【００１３】
次に、給紙ローラ２及び従動ローラ４１が回転を開始すると、この給紙ローラ２に従動回転する従動ローラ４１は所定の給紙圧でシート束を押圧して給紙ローラ２と共にシート束の最上位のシートを送り出す。このシートは給紙ローラ２と捌き板４９との間を通過して搬送ローラ９ａ及び９ｂ間に移動する。この場合に、下位のシートが最上位のシートに密着して、下位のシートが最上位のシートと共に捌き板４９と給紙ローラ２との間に到達すると、給紙ローラ２とシートとの間の摩擦力及びシートと捌き板４９との間の摩擦力はいずれもシート同士の摩擦力に比して大きいため、下位のシートには給紙ローラ２の搬送力が伝達されず、この下位のシートは捌き板４９の位置で停止する。従って、搬送ローラ９ａ及び９ｂ側には、シートが１枚ずつ供給される。
【００１４】
次に、給紙ローラ２は、１枚に分離されたシートを搬送ローラ９ａ及び９ｂに向けて送り出す。そして、搬送ローラ９ａ及び９ｂの出口側のセンサ１１がシートの先端を検知すると、駆動装置は給紙ローラ２の駆動を停止する。その後、シートは搬送ローラ９ａ及び９ｂにより送り出される。このとき、給紙ローラ２には駆動力はかかっていないが、この給紙ローラ２と給紙ローラ軸２ａとの間には１方向クラッチが設けられているため、シートは給紙ローラ２と捌き板４９との間を抵抗なく移動する。
【００１５】
次いで、センサ１１がシートの後端を検知すると、給紙ローラ２は回転を再開し、次のシートを給送する。このようにして、シート束からシートが１枚ずつ給送される。
【００１６】
上述の丁合機において、丁合機の給紙装置６０の数に比して、ちらし（シート）の種類が多い場合は、１回の丁合作業で全ての種類のちらしを丁合して、シートセットとすることができない。この場合は、丁合機の給紙装置６０の数より、ちらしの種類が少なくなるように、第１種類のちらしと第２種類のちらしとに分け、作業を２段階に分ける。先ず、第１種類のちらしを各給紙トレイ１及び折り紙用の給紙トレイ６２に載置した後、丁合機により丁合して第１シートセットを得る。次に、第２種類のちらしを同様に丁合して第２シートセットを得る。第２シートセットの中に、第１シートセットを組み込んで、最終シートセットを得る。
【００１７】
図８は得られた最終シートセットを示す模式図である。図８に示すように、第２シートセット９１の上部に第１シートセット９２が組み込まれて、最終シートセット９３が形成されている。このため、第２シートセット９１の折り紙８１ａが、第２シートセット９１の各シート及び第１シートセット９２の折り紙８１ｂを覆っており、折り紙８１ｂ内に第１シートセット９２の各シートが配置されている。
【００１８】
このシートセットの組み込みを、手作業で実施する場合は、多大な時間及び労力を必要とする。そこで、この組み込み作業を簡略化するために、給紙装置を使用してシートセットの組み込みを実施する。この場合は、第１シートセット９２を給紙装置６０ａの給紙トレイ１ａ上に積層して載置する。また、他の給紙装置６０ｂ乃至６０ｉの各給紙トレイ１ｂ乃至１ｉにちらし束を載置すると共に、給紙装置６８の給紙トレイ５ａにちらし束を載置する。更に、折り紙用給紙装置６１の給紙トレイ６２に折り紙８１ａを載置する。但し、このちらし束のシート（ちらし）は、第１シートセット９２に含まれるシート（ちらし）とは異なるものとする。給紙トレイ１ｂ乃至１ｉ及び給紙トレイ５ａの各ちらし束からシートを１枚ずつ取り出し、また給紙装置６０ａから第１シートセット９２を再給送し、更に折り紙用給紙トレイ６２から折り紙８１を給送して、この折り紙８１ａの中に、第１シートセット９２及び各シートを組み込み、最終シートセット９３とする。この場合に、例えば給紙トレイ１ａ上に、多数の第１シートセット９２が積層されている場合であっても、複数の第１シートセット９２が、同時に丁合機内に供給されることがないように、各第１シートセット９２を分離しつつ、給送する必要がある。積層されたシートセットから、各シートセットを分離するために、第１及び第２シートセットの夫々についてシートセットの厚さを考慮しつつ、捌き板４９の給紙ローラ２に対する捌き圧を調整し、給紙ローラ２と捌き板４９との間をシートセットが通過できるようにし、第２シートセット９１に第１シートセット９２を組み込んで、最終シートセット９３を得ている。
【００１９】
【発明が解決しようとする課題】
しかしながら、上述の従来技術方法には、以下に示す問題点がある。即ち、丁合されて得られたシートセットは、サイズ、形状及び厚さ等が異なる種々のちらしを重ね、得られた束を１枚の折り畳まれたシートの中に挟み込んで形成されたものである。このようなシートセットを従来の給紙装置で再給送すると、シートセットが捌き板４９と給紙ローラ２との間に到達した場合に、シートセットは捌き板４９と給紙ローラ２との間の隙間を通過する際に、分離搬送されやすくなる。
【００２０】
図１１は、図９に示す給紙装置においてシートセット８３が通過する様子を示す模式図である。図１１に示すように、シートセット８３には捌き板４９及び給紙ローラ２に押圧され、若干の押圧力が付与されている。給紙ローラ２とシートセット８３上面との間の摩擦力及び捌き板４９とシートセット８３下面との間の摩擦力は、いずれもシートセット８３内のシート８２同士の摩擦力に比して大きい。このため、シートセット８３の最下部の折りシート片８４は捌き板４９の位置で停止するため、最上部の折りシート片８５が最下部の折りシート片８４に対して先行した状態で搬送される。そして、搬送ローラ９ａ及び９ｂにより、このシートセット８３はくわえ込まれ、折り紙８１には折り辺８７ａが別に１個形成されて、所謂、２重折りが発生するという問題点がある。また、最下部の折りシート片８４が捌き板４９に止まってしまった場合は、折り紙８１の折りシート片８５のみが給送され、折り紙が開いてしまい、シートセット８３を給送することができないという問題点がある。
【００２１】
本発明はかかる問題点に鑑みてなされたものであって、積層されたシートセットの束からシートセットを１セットずつ確実に分離して給送することができる給紙装置を提供することを目的とする。
【００２２】
【課題を解決するための手段】
本発明に係る給紙装置は、シート又はシート束を折り紙で束ねて１セットとしたシートセットからなる被給送物を給送する方向に回転しその周面にて前記被給送物を給送する給紙ローラと、この給紙ローラの下方に配置され前記給紙ローラの周面との間で前記被給送物を捌く捌き部材と、この捌き部材の前記被給送物の給送方向下流側で前記給紙ローラと共に前記被給送物を挟みつつ前記被給送物を給送する方向に回転する給送ローラと、前記捌き部材と前記給送ローラとに係合し前記捌き部材が上昇下降するのに伴って前記給送ローラを上昇下降させる係合部材とを有することを特徴とする。
【００２３】
前記給送ローラの周速度は前記給紙ローラの周速度と同一であることが好ましい。
【００２４】
本発明に係る給紙装置は、更に前記捌き部材の捌き面の一部を覆う滑り部材を有し、この滑り部材の上面が前記給送物と接するものであってもよい。
【００２５】
前記捌き部材の捌き面と前記給紙ローラとの間の隙間は前記給送ローラと前記給紙ローラとの間の隙間に比して大きくすることができる。また、前記給紙ローラは前記捌き部材及び前記給送ローラに接していてもよい。
【００２６】
前記給送ローラを前記給紙ローラの方向に付勢する弾性体を有することが好ましい。
【００２８】
この場合に、前記係合部材は、前記捌き部材を支持しカム部が形成された第１支持部材と、前記給送ローラを支持し突起が形成された第２支持部材と、前記第１支持部材に設けられ前記第２支持部材を支持する軸とを有するものとすることができる。
【００２９】
前記給紙ローラはその軸方向に複数個に分割されていることが好ましい。
【００３０】
前記給紙ローラのシート給送方向上流側には、その軸方向が前記給紙ローラの軸方向と平行である補助給紙ローラが設けられ、この補助給紙ローラはその軸方向に分割されていることが好ましい。
【００３１】
本発明に係る給紙装置においては、給紙ローラと捌き部材とにより、シート又はシートセット（以下、シート又はシートセットを被給送物という）を１部ずつに分離し、次に分離された被給送物を給送ローラと給紙ローラとにより挟み込んで給送する。そうすると、被給送物がシートセットであってもシートセットの先端が捌き部材を通過した後、この先端は給送ローラに接し、給紙ローラと給送ローラとにより押圧される。これにより、給紙ローラとシートセット上面とが接触すると共に、給送ローラとシートセット下面とが接触し、給紙ローラ及び給送ローラの回転がシートセットを前進させ、シートセットが搬送される。給送ローラが被給送物が給送方向に給送されるように回転しているため、給紙ローラによりシートセットの上面のみが給送されてシートセットの下面が取り残されることがない。このため、シートセットは一体のまま搬送される。なお、シートセットではなく、シートを搬送する場合は、分離されたシートはシートセットのような構造を有しないので、いうまでもなく、良好に搬送される。
【００３２】
給紙ローラの周速度及び給送ローラの周速度は、夫々、シートセットの上面及び下面の状態を考慮して、シートセットが一体的に給送されるように設定すればよい。シートセット下面の状態とシートセットの上面の状態とは、通常、略同一であり、この場合は、給紙ローラの周速度と給送ローラの周速度とは同一に設定すればよい。これにより、シートセット下面とシートセット上面とは、同一速度で搬送され、シートセットの上面又は下面のいずれかの面が先行することなく、シートセットは、一体のまま、搬送される。
【００３３】
捌き部材は給紙ローラの周面のように被給送物の給送方向に移動することがないため、捌き部材とシートセット下面との摩擦が大きい場合は、シートセットの下面が捌き部材に取り残され、シートセットを一体のまま給送することが困難となる場合がある。この摩擦を低減するために、捌き部材の捌き面の一部を滑り部材で覆ってもよい。
【００３４】
シートセットを送給する場合は、シートセットの厚さを考慮して、捌き部材の捌き面と給紙ローラとの間に隙間を設けると共に、給送ローラと給紙ローラとの間に隙間を設けることができる。この場合は、捌き部材の捌き面と給紙ローラとの間の隙間は給送ローラと給紙ローラとの間の隙間に比して大きくなるように設定することが好ましい。また、給紙ローラと捌き面との間の隙間は、シートセットの厚さと略同一が又は若干大きめに設定することが好ましい。給送ローラと給紙ローラとの間の隙間は、前述のように、捌き面と給紙ローラとの間の隙間に比して小さい。即ち、給送ローラと給紙ローラとの間の隙間は、シートセットの厚さに比して小さいため、給紙ローラと給送ローラとの間のシートセットは給紙ローラ及び給送ローラに押圧されて、搬送圧が付与される。これにより、給紙ローラと捌き面との間をシートセットが通過しやすくなると共に、通過後のシートセットが給紙ローラと給送ローラとによりくわえ込まれやすくなる。
【００３５】
被給送物がシートである場合は、シートはシートセットに比して極めて薄く、上述のような隙間は特に必要ではないため、給紙ローラは捌き部材及び給送ローラに接していることが好ましい。
【００３６】
弾性体により給送ローラを給紙ローラに付勢した場合は、給送ローラと給紙ローラとの隙間を適切なものに保持することができ、給送ローラと給紙ローラとの間の被給送物に適切な搬送圧をかけることができる。
【００３７】
また、捌き部材が上昇下降するのに伴って給送ローラを上昇下降させる係合部材を配置してもよい。通常、折り紙の中に挟み込まれているちらしの種類及び数の相違により、シートセットの厚さは異なる。このシートセットを給送する場合は、シートセットの厚さに応じて、給紙ローラと捌き面との間の隙間及び給紙ローラと給送ローラとの間の隙間を調整することが必要である。特に、上述のように、捌き部材の捌き面と給紙ローラとの間の隙間を給送ローラと給紙ローラとの間の隙間に比して大きくなるように設定する場合は、捌き部材の捌き面と給紙ローラとの間の隙間が小さくなると、これに連動して給紙ローラと給送ローラとの間の隙間が小さくなることが好ましい。このように連動させるために、捌き部材の上昇下降に伴って給送ローラを上昇下降させる係合部材を配置することが好ましい。また、上述のように、シートを給送する場合は、給紙ローラは捌き部材及び給送ローラに接していることが好ましい。この係合部材を配置すると、捌き部材を給紙ローラに接触させた場合に、給送ローラが給紙ローラに接触する。これにより、シートセット用の給紙装置を容易にシート用の給紙装置に変更することができる。また、シート用の給紙装置をシートセット用の給紙装置にすることができる。
【００３８】
このような、係合部材として、例えば、以下のようなものを挙げることができる。第１支持部材には軸が設けられており、この軸に第２支持部材が支持されている。前述の弾性体の付勢力により、第１支持部材のカム部には第２支持部材の突起が当接している。第１支持部材を揺動させると、捌き部材が上昇すると共に、第１支持部材のカム部が移動する。弾性体の付勢力により、第２支持部材は軸を中心にしてこの移動に追従し、第２支持部材の突起が第１支持部材のカム部に当接するまで、第２支持部材は移動する。この第２支持部材の移動により、給送ローラが給紙ローラの方向に上昇する。
【００３９】
本発明における給紙装置の給紙ローラは、その軸方向に複数個に分割されたものであってもよい。給紙ローラを分割した場合は、シートセット上面に加え、シートセット内のシートに対しても搬送力が付与される。また、給紙ローラのシート給送方向上流側に、給紙ローラの軸と平行となるように、補助給紙ローラを設けてもよい。この場合も、補助給紙ローラを分割し、複数とすることにより、シートセット上面に加え、シートセット内のシートに対しても補助給紙ローラの搬送力が与えられる。このように、給紙ローラ及び／又は補助給紙ローラを分割し、複数とすることにより、シートセットの上面及び下面並びにシートセット内のシートは一体となって搬送され、捌き部材にシートセットが搬送される。
【００４０】
【発明の実施の形態】
以下、本発明の実施形態について、添付の図面を参照して具体的に説明する。図１は本発明の実施形態に係る給紙装置を示す正面図であり、図２はその平面図である。図１及び２において、図９及び１０と同一物には同一符号を付してその詳細な説明は省略する。図１に示すように、給紙トレイ１は支軸７ａに係合しており、給紙トレイ１は支軸７ａを軸として限定された範囲を揺動することができるようになっている。この給紙トレイ１の先端部近傍には、ベース８が設けられており、シートセットの給送方向に対してベース８の下流側には、１対の搬送ローラ９ａ及び９ｂが上下方向に対向して設けられている。搬送ローラ９ａ及び９ｂは、夫々、搬送ローラ軸９ｄ及び９ｃに支持されている。ベース８の給紙トレイ１側の側部及び上部には、搬送ガイド板６が配設され、この搬送ガイド板６は搬送ローラ９ａ及び９ｂまで延出している。搬送ガイド板６には、切り欠き６ａが形成されている。切り欠き６ａ内には、再給送用捌きユニット１５が設けられており、再給送捌きユニット１５は後述するように捌き板２１及び給送ローラ３９等より構成されている。また、搬送ローラ９ａ及び９ｂのシートセット給送方向の下流側には、センサ１１が配設されており、破線で示す位置におけるシートセットの有無を検出できるようになっている。
【００４１】
図２に示すように、ベース８は一対の装置側板１０に固定されており、ベース８の上方には、給紙ブラケット４が配置されている。給紙ブラケット４のシートセット給送方向の上流側には、シートセットの給送方向に垂直となるように給紙ローラ軸１２が配置されている。給紙ブラケット４は、給紙ローラ軸１２に揺動可能に支持されている。給紙ローラ軸１２の一端には、タイミングプーリ１２ａが設けられており、タイミングプーリ１２ａはベルト３７を介してタイミングプーリ３５ｂに連結されている。タイミングプーリ３５ｂはタイミングプーリ１２ａに従動するようになっている。タイミングプーリ３５ｂは、後述するように、ベース８内に設けられている。給紙ローラ軸１２の一端は、タイミングプーリ１２ａの外側で装置側板１０に支持されている。
【００４２】
給紙ローラ軸１２上で給紙ブラケット４とタイミングプーリ１２ａとの間には、タイミングプーリ１２ａ側に給紙ローラ２ａが配置されると共に、給紙ブラケット４側に給紙ローラ２ｂが配置されている。給紙ローラ軸１２上で、給紙ローラ軸１２の他端側には、給紙ローラ２ｃが配置されており、給紙ローラ軸１２の他端は軸受７２ｃを介して、装置側板１０に支持されている。給紙ローラ軸１２には後述する搬送ローラ軸から駆動力が伝達されることにより、各給紙ローラ２（２ａ，２ｂ，２ｃ）は給紙ローラ軸１２を中心軸として回転するようになっている。各給紙ローラ２と給紙ローラ軸１２との間には１方向クラッチ（図示せず）が設けられている。
【００４３】
給紙ローラ２ｂのシートセット給送方向の下流側には、給紙ローラ軸１２と平行になるように搬送ローラ軸９ｃが設けられており、搬送ローラ軸９ｃは装置側板１０に支持されている。搬送ローラ軸９ｃの略中央部には１組の搬送ローラ９ａが搬送ローラ軸９ｃに固定されている。搬送ローラ軸９ｃの給紙ローラ２ａ側の一端には、電磁クラッチ（図示せず）を介してギア７３ｂが設けられていると共に、給紙ローラ軸１２の給紙ローラ２ａ側の一端には電磁クラッチ（図示せず）を介してギア７３ａが設けられている。ギア７３ａとギア７３ｂとは噛合している。適宜の駆動装置（図示せず）により駆動力がギア７３ｂに伝達されるようになっており、搬送ローラ軸９ｃの電磁クラッチが励磁されると、搬送ローラ軸９ｃが回転して搬送ローラ９ａが回転するようになっている。また、ギア７３ｂの回転によりギア７３ａが回転し、この回転により給紙ローラ軸１２が回転して給紙ローラ２が回転するようになっている。給紙ローラ２のシートセット給送方向上流側には、給紙ローラ軸１２に平行となるように補助給紙ローラ軸１３が給紙ブラケット４に回転可能に支持されている。補助給紙ローラ軸１２上で、給紙ローラ２（２ａ、２ｂ、２ｃ）のシートセット給送方向の上流側には、夫々、給紙ローラ２と同形状の補助給紙ローラ３（３ａ、３ｂ、３ｃ）が配置されている。給紙ローラ軸１２と補助給紙ローラ軸１３とはタイミングベルト（図示せず）で連結されており、補助給紙ローラ３は給紙ローラ２に従動回転するようになっている。各補助給紙ローラ３と補助給紙ローラ軸１３との間には、１方向クラッチ（図示せず）が配置されている。
【００４４】
図３は給紙ローラ及びその下方部分を拡大して示す正面図であり、図４は搬送ガイド板６を取り除いた場合のベース８内部を拡大して示す平面図である。図３に示すように、再給送用捌きユニット１５は、架台１６、揺動板１７、滑り板１８及びローラ支持板１９等により構成されている。架台１６の底板１６ｂはベース８に固定されており、底板１６ｂのシートセット給送方向に平行な側面には、底板１６ｂに垂直となるように、２枚の側板１６ａが取り付けられている。即ち、架台１６は底板１６ｂと側板１６とからなるコの字上の部材であり、コの字の解放部が上方を向いている。側板１６ａの上部には軸２４が取り付けられている。架台１６の上方には滑り板１８が配置されている。滑り板１８の側部には２枚の側板１８ａが設けられており、側板１８ａには貫通孔が設けられている。この貫通孔に前述の軸２４が貫通しており、この軸２４を支点として滑り板１８が揺動するようになっている。滑り板１８のすぐ下方には、揺動板１７が配置されている。揺動板１７には滑り板１８に略平行な天板１７ａが設けられており、この天板１７ａのシートセット給送方向に平行な側部に、側板１７ｂが天板１７ａに垂直となるように設けられている。側板１７ｂのシートセット給送方向上流側の先端部には、貫通孔が設けられている。この貫通孔に前述の軸２４が貫通しており、この軸２４を支点として揺動板１７が揺動するようになっている。また、側板１７ｂのシートセット給送方向下流側の先端部には、傾斜カム１７ｃが形成されている。天板１７ａのシートセット給送方向下流側の端部上面には、捌き台２０が配置されており、捌き台２０の上面に捌き板２１が固定されている。捌き板２１の上面のうち、シートセット給送方向上流側の上面は前述の滑り板１８の下面に接している。一方、シート給送方向下流側の上面を捌き面２１ａというとすると、捌き面２１ａは給紙ローラ２に向かい合っている。滑り板１８のシートセット給送方向下流側の先端部が、図９に示す従来の滑り板のものに比して、シートセット給送方向下流側に延出しているため、捌き板２１の捌き面２１ａのシートセット給送方向の面積は、従来の捌き板４９の捌き面の面積に比して、約１／３となっている。揺動板１７の側板１７ｂには、シートの進行方向下流側の下端部近傍に連結軸２７が配置され、軸受２８を介して、連結軸２７が回転自在に支持されている。また、軸受２８によりローラ支持板１９が揺動可能に支持されている。
【００４５】
ローラ支持板１９の底板１９ａには、シートセット給送方向に平行な側面に２枚の側板１９ｂが設けられており、この側板１９ｂのシートセット給送方向の下流側の端部近傍において、給送ローラ軸２９が側板１９ｂに回転自在に支持されており、給送ローラ軸２９は連結棒２７に平行に配置されている。この給送ローラ軸２９に、一方向クラッチ３０（図４に示す）を介して、給送ローラ３９が支持されている。給送ローラ３９は給紙ローラ２ｂと略同じ幅である。ローラ支持板１９の側板１９ｂには、係合用の突起１９ｃが設けられており、この突起１９ｃは、前述の側板１７ｂの傾斜カム１７ｃに係合する。また、揺動板１７の天板１７ａとローラ支持板１９の底板１９ａとの間には、ローラ支持板１９を常に図３中の矢印Ａにて示す方向に付勢するために、バネ３２が架けられている。
【００４６】
前述の揺動板１７の天板１７ａの略中央下面には、支持体２３が設けられており、支持体２３の先端部２３ａは半球状となっている。支持体２３の下方には、傾斜板２５が配置されており、傾斜板２５はベース８上に載置されている。傾斜板２５の傾斜面は、シートセット給送方向に垂直な方向に勾配が設けられており、支持体２３の先端部はこの傾斜面に接している。傾斜板２５をこの勾配方向、即ち図４中の矢印Ｂにて示す方向に往復移動させることが可能であり、支持体２３は、この傾斜面に接触しているため、傾斜板２５の移動に伴って上下に移動する。これにより、揺動板１７の捌き板２１は、上昇下降する。この傾斜板２５の移動は、リンク機構（図示せず）を介して実施されるようになっている。傾斜板２５が移動することにより、捌き板２１の給紙ローラ２に対する押圧力又は捌き面２１ａと給紙ローラ２ｂとの間の隙間Ｊを調整することができる。これにより、捌き圧を調整することができる。
【００４７】
前述のように、揺動板１７の傾斜カム１７ｃとローラ支持板１９の底板１９ａとの間にバネ３２が架けられており、ローラ支持板１９は図３中の矢印Ａ方向に付勢され、このバネ３２の付勢力により、揺動板１７の傾斜カム１７ｃとローラ支持板１９の突起１９ｃとは係合（当接）している。この場合に、図３に示す捌き面２１ａと給紙ローラ２ｂとの間の隙間Ｊが給送ローラ３９と給紙ローラ２ｂとの隙間Ｋに比して大きくなるように、傾斜カム１７ｃの形状を予め形成しておく。隙間Ｊは隙間Ｋに比して大きければ、特に制限されないが、例えば、隙間Ｊは隙間Ｋに比して約２倍となるように設定すればよい。
【００４８】
なお、捌き圧を調整するために、傾斜板２５を移動し、捌き面２１ａと給紙ローラ２ｂとの間の隙間Ｊを調整すると、バネ３２の付勢力により突起１９ｃは揺動板１７の傾斜カム１７ｃに接触しているため、揺動板１７が上昇し、傾斜カム１７ｃが上昇して、突起１９ｃが傾斜カム１７ｃに当接（接触）するまで、バネ３２はその付勢力によりローラ支持板１９を持ち上げる。これにより、給送ローラ３９が上昇する。同様に、揺動板１７が下降して傾斜カム１７ｃが下降すると、突起１９ｃは傾斜カム１７ｃに当接（接触）しているため、突起１９ｃは押し下げられる。即ち、捌き板２１が上昇下降すると、給送ローラ３９がこれに追従して上昇下降する。
【００４９】
図４に示すように、給送ローラ３９は、一方向クラッチを介して、給送ローラ軸２９に回転自在に支持されており、給送ローラ３９の給送ローラ軸２９の一端には、ギア２９ａが固定されている。また、給送ローラ軸２９のシートセット給送方向上流側には、連結軸２７が配置されている。連結軸２７にはギア２７ａが固定されており、ギア２７ａはギア２９ａに噛み合っている。更に、連結軸２７の一端にはタイミングプーリ２７ｂが固定されている。このタイミングプーリ２７ｂにはベルト３６を介してタイミングプーリ３５ａが連結されている。タイミングプーリ３５ａは、シートセット給送方向に対して、架台１６の軸２４と略同位置に配置されており、タイミングプーリ３５ａは伝達軸３５の軸２４側の一端に固定されている。軸２４と伝達軸３５とは略同軸である。伝達軸３５は支持板３４に回転可能に支持されており、支持板３４はベース８に固定されている。伝達軸３５の他端には、タイミングプーリ３５ｂが固定されている。図２に示すように、給紙ローラ軸１２には、タイミングプーリ１２ａが固定されており、タイミングプーリ１２ａとこのタイミングプーリ３５ｂとの間にベルト３７が掛け渡されている。このため、給紙ローラ軸１２がギア７３ｂを介して適宜の駆動装置（図示せず）により駆動力が付与されて回転すると、タイミングプーリ１２ａ、ベルト３７、タイミングプーリ３５ｂ、伝達軸３５、タイミングプーリ３５ａ、ベルト３６、タイミングプーリ２７ｂ、連結軸２７、ギア２７ａ、ギア２９ａ、給送ローラ軸２９及び１方向クラッチ３０を介して、駆動力が給送ローラ３９に伝達され、給送ローラ３９は、図３中の矢印にて示すように、給紙ローラ２と略同一周速度で回転する。
【００５０】
なお、前述のように、揺動板１７の上面には、シートセットの給送方向に対して捌き台２０の上流側に滑り板１８が設けられており、この滑り板１８は、図４に示すように、幅広であり、その幅は給紙ローラ２の幅よりも大きくなっている。この滑り板１８は、前述のように、軸２４を中心として揺動可能に支持されている。
【００５１】
次に、このように構成された本実施例の給紙装置の動作について説明する。先ず、図１に示す補助給紙ローラ３を給紙トレイ１の上方に退避され、給紙トレイ１上に一度丁合されたシートセットを積層載置する。次に、傾斜板２５を移動させ、揺動板を昇降移動させることにより、捌き板２１を昇降移動させ、図３に示す隙間Ｊを調整して、捌き板２１の給紙ローラ２に対する捌き圧を調整する。この隙間Ｊは、シートセットが給紙ローラ２と捌き板２１との間を通過できるように、シートセットの厚さと略同一の大きさに設定する。
【００５２】
次に、搬送ローラ軸９ｃの電磁クラッチを励磁して、適宜の駆動装置により、搬送ローラ９ａ及び９ｂを回転させると共に、給紙ローラ軸１２の電磁クラッチを励磁して、ギア７３ｂ及びギア７３ａを介して、給紙ローラ軸１２を回転させて給紙ローラ２を回転させる。また、タイミングベルト（図示せず）を介して、給紙ローラ軸１２の回転力を補助給紙ローラ軸１３に伝達し、補助給紙ローラ３を従動回転させる。更に、給紙ローラ軸１２の駆動力を給紙ローラ軸２９に伝達して、給送ローラ３９を回転させる。補助給紙ローラ３が回転して慣性力が生じることにより、給紙ブラケット４が揺動し、補助給紙ローラ３は最上位のシートセットに接触する。そうすると、最上位のシートセットに図２に示す３個の給紙ローラ２（２ａ、２ｂ、２ｃ）及び３個の補助給紙ローラ３（３ａ、３ｂ、３ｃ）の駆動力が伝達され、シートセットは給紙ローラ２と捌き面２１ａとの隙間Ｊに給送される。本実施例においては給紙ローラ２及び補助給紙ローラ３が適当な間隔を設けて、夫々、３個ずつ設けられているため、図７に示す最上部の折りシート片８５に加え、この折り紙８１に折り込まれたシート８２に対しても搬送力が与えられるので、最上部の折りシート片８５のみが先行して搬送されることがない。
【００５３】
このように、折り紙８１とシート８２とが一体となったまま、シートセットは給紙ローラ２と捌き面２１ａとの隙間Ｊを通過する。この場合に、最下部の折りシート片８４と捌き面２１ａとの間の摩擦抵抗により、ブレーキがかかり、最下部の折りシート片８４の搬送力が低下する。このため、最上部の折りシート片８５は最下部の折りシート片８４に比して先行して搬送されやすくなる。この傾向は、給紙ローラ２と捌き面２１ａとの隙間から、次段の搬送手段までの距離が長い場合に、顕著となる。また、折り紙８１と捌き面２１ａとの接触時間が長い場合、即ち、捌き板２１がシートセット給送方向に対して長い場合に、この傾向が顕著となる。そこで、本実施例においては、図３に示すように、滑り板１８のシートセット給送方向下流側先端部を、従来の滑り板に比してシートセット給送方向下流側に延出させたことにより、捌き面２１ａのシートセット給送方向に対する面積を、従来の捌き板の約１／３にしてある。
【００５４】
また、捌き板２１のシートセット給送方向下流側に、捌き板２１に連続して給送ローラ３９を設けたことにより、シートセットのシート先端部８６が給紙ローラ２と捌き板２１との隙間を通過した場合に、直ぐに給紙ローラ２ｂと給送ローラ３９との隙間にシートセットがくわえ込まれる。この場合に、給紙ローラ２ｂと給送ローラ３９との間には隙間Ｋが設けられているため、シートセットのシート先端部８６は、スムーズに給紙ローラ２ｂと給送ローラ３９との間に挟み込まれる。給送ローラ３９はバネ３２により付勢されており、また給紙ローラ２ｂと給送ローラ３９との隙間Ｋは、給紙ローラ２ｂと捌き面２１ａとの隙間Ｊに比して小さく、Ｊ＞Ｋとなっており、隙間Ｋはシートセットの厚さよりも小さくなっている。このため、シートセットにより、給送ローラ３９は、連結軸２７を中心として、給紙ローラ２と捌き面２１ａとの間の隙間Ｊを大きくする方向に揺動する。また、ローラ支持板１９はバネ３２により、給紙ローラ２の方向に付勢されるため、給送ローラ３９は給紙ローラ２の方向に付勢され、給紙ローラ２ｂと給送ローラ３９との間のシートセットは搬送圧を受ける。
【００５５】
更に、給紙ローラ軸１２から伝達された駆動力により、給送ローラ３９は回転しているため、給送ローラ３９は給紙ローラ２と同一周速で回転している。最下部の折りシート片８４と捌き板２１との間には摩擦抵抗があるものの、給送ローラ３９及び給紙ローラ２によるシートセットの折り辺に対する搬送力がこの摩擦抵抗を上回る。このため、最下部の折りシート片８４は、最上部の折りシート片８５と同一速度で、給送ローラ３９と給紙ローラ２ｂとの間を通過することができ、最上部の折りシート片８５が最下部の折りシート片８４に対して先行して搬送されることがない。これにより、シートセットは、折り紙８１に２重折りが発生することが防止されつつ、搬送ローラ９ａ及び９ｂに向けて送出される。
【００５６】
なお、上位のシートセットに密着して、下位のシートセットが捌き面２１ａと給紙ローラ２ｂとの隙間Ｊに到達した場合、即ち、重送された場合は、隙間Ｊとシートセットの厚さとは略同一又は若干大きめであるため、２つのシートセットが隙間Ｊの間を通過することはない。このため、下位のシートセットは捌き板２１の位置で停止し、上位のシートセットが搬送ローラ９ａ及び９ｂを通過した後に、このシートセットは搬送される。従って、給送ローラ３９には、シートセットが１セットずつ供給される。
【００５７】
次に、給紙ローラ２及び給送ローラ３９は、シートセットを搬送ローラ９ａ及び９ｂに向けて送り出す。搬送ローラ９ａ及び９ｂの出口側には、センサ１１が設けられており、このセンサ１１が、シートセットの先端を検知すると、給紙ローラ軸１２に設けられた電磁クラッチ（図示せず）及び搬送ローラ軸９ｃに設けられた電磁クラッチ（図示せず）が、共に消磁される。これにより、給紙ローラ軸１２及び搬送ローラ軸９ｃに、駆動装置の駆動力が伝達されなくなり、給紙ローラ２、給送ローラ３９並びに搬送ローラ９ａ及び９ｂの回転が停止する。その後、搬送ローラ軸９ｃに設けられた電磁クラッチ（図示せず）が再び励磁され、シートセットは搬送ローラ９ａ及び９ｂにより送り出される。この場合に、給紙ローラ２及び給送ローラ３９には駆動力がかかっていないが、給紙ローラ２と給紙ローラ軸１２との間及び給送ローラ３９と給送ローラ軸２９との間には、夫々、１方向クラッチが設けられているため、搬送ローラ９ａ及び９ｂの搬送力により、シートセットは隙間Ｊ及び隙間Ｋ内を抵抗なく移動する。次いで、センサ１１がシートセットの後端を検知すると、給紙ローラ２は回転を再開し、次のシートセットを給送する。このようにして、積層されたシートセットから、シートセットが１セットずつ給送される。
【００５８】
本実施例における給紙装置においては、給紙ローラ２及び補助給紙ローラ３を、夫々３個ずつ設けたため、シートセット表面の折り紙８１に加え、折り紙８１内のシートに対しても搬送力が伝達されるので、最上部の折りシート片８５のみが先行して搬送されることを防止することができる。
【００５９】
また、滑り板１８のシートセット給送方向下流側の先端部をシートセット給送方向側に延出させ、捌き板２１の捌き面２１ａの面積を従来の約１／３としたため、捌き板２１と最下部の折りシート片８４との摩擦が低減されるので、最上部の折りシート片８５が先行して搬送されることを防止することができる。
【００６０】
捌き板２１のシートセットの給送方向下流側に連続して給送ローラ３９を設けたことにより、シートセットのシート先端部８６が給紙ローラ２と捌き面２１ａとの隙間Ｊを通過すると同時に、給紙ローラ２と給送ローラ３９との隙間Ｋにくわえ込ませることができる。
【００６１】
給紙ローラ２と給送ローラ３９との間の隙間Ｋが形成されているため、シートセットのシート先端部は、給紙ローラ２と捌き面２１ａとの隙間Ｋを通過後、スムーズに給紙ローラ２と給送ローラ３９との間に入り込むことができる。この隙間Ｋは、給紙ローラ２ｂと捌き面２１ａとの間の隙間Ｊに比して小さいため、給紙ローラ２と給送ローラ３９との間のシートセットは、バネの付勢力により給送ローラ２から搬送圧を受ける。また、給紙ローラ２及び給送ローラ３９にはいずれも給紙ローラ軸１２から駆動力が伝達されるので、給紙ローラ２と給送ローラ３９とは同一の周速で回転する。これにより、給送ローラ２と捌き面２１ａとの間のシートセットの摩擦抵抗が解消され、最下部の折りシート片８４を最上部の折りシート片８５と同一速度で搬送することができる。
【００６２】
以上より、最上部の折りシート片８５が最下部の折りシート片８４に比して、先行して搬送されることがなく、折り紙８１及びシート８２が一体のまま、搬送ローラ９ａ及び９ｂに送出されるので、折り紙８１に２重折りが発生することを防止することができると共に、最上部の折りシート８５のみが給送されることを防止することができる。
【００６３】
本実施例における給紙装置を、例えば、図６に示す丁合装置の給紙装置６０ａとして丁合装置内に配置し、給紙装置６０ａに第１シートセットを載置することができる。この場合に、給紙装置６０ｂ乃至６０ｉの各給紙トレイ１ｂ乃至１ｉ及び給紙装置６８の給紙トレイ５ａにちらし束を載置すると共に、折り紙用給紙装置６１の給紙トレイ６２に折り紙８１を載置する。但し、このちらし束のシート（ちらし）は、第１及び第２シートセットに含まれるシート（ちらし）とは異なるものとする。各給紙トレイ１ｂ乃至１ｉ及び５ａのちらし束からシートを１枚ずつ取り出し、各シート同士の先端が揃うように各シートを給送し、また折り紙用給紙トレイ６２から折り紙を給送し、更に給紙装置６０ａ及び６０ｂから、夫々、第１シートセットを給送して、折り紙の中に第１シートセット及び各シートを組み込んで１組として丁合し、最終シートセットとする。この他にも、本実施例における給紙装置を、図６に示す丁合装置の給紙装置６０ａ及び６０ｂとして丁合装置内に配置し、給紙装置６０ａに第１シートセットを載置すると共に、給紙装置６０ｂに第２シートセットを載置し、第１シートセットと第２シートセットとを折り紙の中に組み込んで最終シートセットを得ることができる。
【００６４】
また、本実施例における給紙装置は通常のシート用給紙装置として使用することができる。図５に示すように、揺動板１７を上昇させることにより捌き板２１を給紙ローラ２に接触させ、捌き圧を高くすることができる。この場合は、揺動板１７の上昇に伴って傾斜カム１７ｃも上昇する。そうすると、バネ３２の付勢力により、突起１９ｃが傾斜カム１７ｃに当接するまで、ローラ支持板１９が上昇する。この上昇により、ローラ支持板１９は給送ローラ軸２９を介して給送ローラ３９を支持しているため、給送ローラ３９が上昇する。最初、給紙ローラ２と捌き面２１ａとの間には隙間Ｊが形成されており、また給紙ローラ２と給送ローラ３９との間には隙間Ｋが形成されているが、この上昇により、隙間Ｊ及び隙間Ｋが徐々に小さくなる。隙間Ｋと隙間Ｊとの間には、常にＪ＞Ｋという関係が存在するため、捌き面２１ａが給紙ローラ２に接触する前に、給送ローラ３９は給紙ローラ２に接触する。更に、揺動板１７を上昇させると、捌き面２１ａは給紙ローラ２ｂに接触し、図３に示す揺動板１７の傾斜カム１７ｃはローラ支持板１９の突起１９ｃから離隔する。この場合においても、バネ３２の引力により、給送ローラ３９は給紙ローラ２ｂを押圧する。このように、捌き板２１と給紙ローラ２とを接触させると共に、給送ローラ３９と給紙ローラ２ｂとを接触させ、捌き板２１と給紙ローラ２とによる捌き圧及び給送ローラ３９と給紙ローラ２とによる搬送圧を高くした後、給紙を開始する。シートは給紙ローラ２ｂと捌き板２１と通過することによって、１枚のシートに分離される。分離されたシートは給紙ローラ２ｂと給送ローラ３９とのニップ部（接触部）に送給された後、給紙ローラ２ｂと給送ローラ３９とによりくわえ込まれて、搬送ローラ９ａ及び９ｂへ送られる。これにより、シート又は２つ折りシート等から形成されたちらし束から、シートが１枚ずつに分離され、１枚のシートを給送することができる。
【００６５】
一度丁合されたシートセットを給送する場合は、再び捌き圧を低下させ、揺動板１７の傾斜カム１７ｃをローラ支持板１９の突起１９ｃに係合させ、揺動板１７と給送ローラ３９とを連動させる。次に、図３に示すように、揺動板１７を下降させ、揺動板１７と給紙ローラ２との隙間Ｊを適切なものに設定すると、揺動板１７の下降によって、給送ローラ３９も下降するため、給紙ローラ２と給送ローラ３９との隙間Ｋが適切なものとなる。このように隙間Ｊ及びＫを適切な値に設定し直すことにより、再びシートセットを給送することができる。
【００６６】
【発明の効果】
以上説明したように、本発明によれば、捌き部材の被給送物の給送方向下流側に給紙ローラの周速度と同一の周速度で回転する給送ローラを設けたので、シートセットを一体のまま給送することができる。
【００６７】
また、捌き部材が上昇下降するのに伴って給送ローラを上昇下降させる係合部材を配置した場合は、１枚のシート及びシートセットのいずれについても分離給することができる。
【図面の簡単な説明】
【図１】本発明の実施例に係る給紙装置を示す正面図である。
【図２】本発明の実施例に係る給紙装置を示す平面図である。
【図３】給紙ローラ及びその下方部分を拡大して示す正面図である。
【図４】搬送ガイド板を取り除いた場合のベース内部を拡大して示す平面図である。
【図５】本発明の実施例に係る給紙装置を示す正面図である。
【図６】新聞広告用丁合機を示す斜視図である。
【図７】シートセットを示す模式図である。
【図８】最終シートセットを示す模式図である。
【図９】従来のフリクションフィード方式の給紙装置を示す正面図である。
【図１０】捌きユニットを示す斜視図である。
【図１１】シートセットが通過する様子を示す模式図である。
【符号の説明】
１，５ａ，６２；給紙トレイ
２，２ａ，２ｂ，２ｃ；給紙ローラ
３，３ａ，３ｂ，３ｃ；補助給紙ローラ
４；給紙ブラケット
６；搬送ガイド板
６ａ；切り欠き
７ａ；支軸
８；ベース
９ａ，９ｂ；搬送ローラ
９ｃ，９ｄ；搬送ローラ軸
１０；装置側板
１１；センサ
１２；給紙ローラ軸
１２ａ；タイミングプーリ
１３；補助給紙ローラ軸
１４；軸
１５；再送給捌きユニット
１６，４６；架台
１６ａ，１７ｂ，１８ａ，１９ｂ，６５；側板
１６ｂ，１９ａ；底板
１７；揺動板
１７ａ；天板
１７ｃ；傾斜カム
１８；滑り板
１９；ローラ支持板
１９ｃ，４７ｂ；突起
２０；捌き台
２１；捌き板
２１ａ；捌き面
２３；支持体
２３ａ；先端部
２４，４６ａ，４７ａ；軸
２５；傾斜板
２７；連結軸
２７ａ，２９ａ，７３ａ，７３ｂ；ギア
２７ｂ，３５ａ，３５ｂ；タイミングプーリ
２８，７２ｃ；軸受
２９；給送ローラ軸
３０；一方向クラッチ
３１；捌き装置
３２；バネ
３３；支持板
３４；伝達軸
３６，３７；ベルト
４０；給紙板
４１；従動ローラ
４２；ガイド板
４５；捌き板ユニット
４７；第１の揺動板
４８；第２の揺動板
４９；捌き板
５０；押さえ板
５１；支持体
５２；スライド板
５２ａ；長穴
５３；傾斜板
６０，６８；給紙装置
６１；折り紙用給紙装置
６３；紙受けトレイ
６４；下板
６６；矢印
６７；上板
６９；ガイド部材
８１，８１ａ，８１ｂ；折り紙
８２；シート
８３；シートセット
８４；最下部の折り片
８５；最上部の折り片
８６；先端
８７，８７ａ；折り辺
９１；第２シートセット
９２；第１シートセット
９３；最終シートセット
【図１】
0003633701.tif 000002
【図２】
0003633701.tif 000003
【図３】
0003633701.tif 000004
【図４】
0003633701.tif 000005
【図５】
0003633701.tif 000006
【図６】
0003633701.tif 000007
【図７】
0003633701.tif 000008
【図８】
0003633701.tif 000009
【図９】
0003633701.tif 000010
【図１０】
0003633701.tif 000011
【図１１】
0003633701.tif 000012